【手続補正書】
【提出日】平成15年4月18日(2003.4.18)
【手続補正１】
【補正対象書類名】明細書
【補正対象項目名】発明の名称
【補正方法】変更
【補正の内容】
【発明の名称】データ通信セッションの料金を決定する無線装置、スマートカードおよび方法


【手続補正２】
【補正対象書類名】明細書
【補正対象項目名】特許請求の範囲
【補正方法】変更
【補正の内容】
【特許請求の範囲】
【請求項１】
データ通信セッションの料金を決定する無線装置であって、
ネットワークと通信するように構成され、
計量方法を使用して前記データ通信セッションを計量し、料金計算方法を前記計量方法と共に使用して、前記データ通信セッションの料金を決定するように構成されるデータ料金計算アプリケーションを備える無線装置。
【請求項２】
携帯電話であることを特徴とする請求項１に記載の無線装置。
【請求項３】
前記計量方法を、複数の計量方法から選択する請求項１に記載の無線装置。
【請求項４】
前記料金計算方法を、複数の料金計算方法から選択する請求項１に記載の無線装置。
【請求項５】
会計アプリケーションと協働して、前記無線装置に関する料金を更新するように前記データ料金計算アプリケーションを構成する請求項１に記載の無線装置。
【請求項６】
前記会計アプリケーションを内蔵する請求項５に記載の無線装置。
【請求項７】
前記会計アプリケーションは、前記無線装置の外部の場所に存在する請求項５に記載の無線装置。
【請求項８】
前記データ料金計算アプリケーションは、前記データ通信セッションのセットアップ過程で生じるセットアップイベントを検知したとき、前記料金計算方法と前記計量方法とを選択するように構成され、
ここに、前記セットアップイベントは、前記ネットワークまたは前記無線装置のいずれかにより発生して、前記データ通信セッションが開始することを示す請求項１に記載の無線装置。
【請求項９】
前記データ料金計算アプリケーションは、前記データ通信セッション過程で生じる開始イベントを検知したとき、前記料金計算方法と前記計量方法を使用して、前記データ通信セッションの料金の決定を開始するように構成され、
ここに、前記開始イベントは、前記ネットワークまたは前記無線装置のいずれかにより発生して、前記データ通信セッションが開始したことを示す請求項１に記載の無線装置。
【請求項１０】
前記データ料金計算アプリケーションは、前記データ通信セッション過程で生じる終了イベントを検知したとき、前記料金計算方法と前記計量方法を使用して、前記データ通信セッションの料金の決定を終了するように構成され、
ここに、前記終了イベントは、前記ネットワークまたは前記無線装置のいずれかにより発生して、前記データ通信セッションが終了したことを示す請求項１に記載の無線装置。
【請求項１１】
前記データ料金計算アプリケーションは、前記無線装置に取り付け可能なスマートカード上に存在する請求項１に記載の無線装置。
【請求項１２】
前記無線装置は内部に複数の追加アプリケーションを含み、
前記データ料金計算アプリケーションは、前記データ通信セッションの間に前記無線装置により受信されるデータを使用する前記無線装置内の前記複数の追加アプリケーションの１つに基づいて前記複数の料金計算方法の１つを選択するように構成される請求項４に記載の無線装置。
【請求項１３】
前記データ料金計算アプリケーションは、前記データ通信セッション中に受信されるデータの利用に基づいて前記料金計算方法を使用するように構成される請求項４に記載の無線装置。
【請求項１４】
前記データ通信セッション中に受信される前記データはダウンロードされるアプリケーションであり、
ここに前記料金は、ダウンロードされる前記アプリケーションの利用の発生または利用時間に基づき決定される請求項１３に記載の無線装置。
【請求項１５】
前記データ料金計算アプリケーションは、前記データ通信セッションの間に前記無線装置により受信されたデータのソースに基づいて、前記複数の料金計算方法の１つを選択するよう構成される請求項４に記載の無線装置。
【請求項１６】
前記データ料金計算アプリケーションは、前記データ通信セッションについて選択されたサービスレベルに基づいて、前記複数の料金計算方法の１つを選択するよう構成される請求項４に記載の無線装置。
【請求項１７】
選択される前記サービスレベルは、前記データ通信セッションにおけるデータ通信の速度および／または精度に関係する請求項１６に記載の無線装置。
【請求項１８】
前記データ料金計算アプリケーションは、前記データ通信セッションの間に達成したサービスレベルに基づいて、前記複数の料金計算方法の１つを選択するように構成される請求項４に記載の無線装置。
【請求項１９】
前記複数の計量方法は、接続方法による計量を含み、
前記接続方法による計量は、確立されている前記データ通信セッションに対する接続に基づいて前記データ通信セッションの料金を決定する請求項３に記載の無線装置。
【請求項２０】
前記複数の計量方法は、計時方法による計量を含み、
前記計時方法による計量は、前記データ通信セッションの継続時間に基づいて前記データ通信セッションの料金を決定する請求項３に記載の無線装置。
【請求項２１】
前記複数の計量方法は、ボリューム計量方法による計量を含み、
前記ボリューム計量方法による計量は、前記データ通信セッションの間に前記無線装置により送信および／または受信されるデータのボリュームに基づいて、前記データ通信セッションの料金を決定する請求項３に記載の無線装置。
【請求項２２】
前記ボリューム計量方法による計量は、さらにキロバイト単位毎、パケット単位毎または所定の単位毎に計量することを含む請求項２１に記載の無線装置。
【請求項２３】
ネットワークとの通信能力を有する無線装置と協働して、データ通信セッションの料金を決定するスマートカードであって、
計量方法を使用して前記データ通信セッションを計量し、料金計算方法を前記計量方法と共に使用して、前記データ通信セッションの料金を決定するように構成されるデータ料金計算アプリケーションと、
前記スマートカードの前記無線装置との通信を可能にするように構成されたインターフェースとを備えるスマートカード。
【請求項２４】
前記無線装置が携帯電話である請求項２３に記載のスマートカード。
【請求項２５】
前記計量方法を、複数の計量方法から選択する請求項２３に記載のスマートカード。
【請求項２６】
前記料金計算方法を、複数の料金計算方法から選択する請求項２３に記載のスマートカード。
【請求項２７】
会計アプリケーションと協働して、前記無線装置に関する料金を更新するように前記データ料金計算アプリケーションを構成する請求項２３に記載のスマートカード。
【請求項２８】
前記会計アプリケーションを内蔵する請求項２７に記載のスマートカード。
【請求項２９】
前記会計アプリケーションは、前記スマートカードの外部の場所に存在する請求項２７に記載のスマートカード。
【請求項３０】
前記データ料金計算アプリケーションは、前記データ通信セッションのセットアップ過程で生じるセットアップイベントを検知したとき、前記料金計算方法と前記計量方法とを選択するように構成され、
ここに、前記セットアップイベントは、前記ネットワークまたは前記無線装置のいずれかにより発生して、前記データ通信セッションが開始することを示す請求項２３に記載のスマートカード。
【請求項３１】
前記データ料金計算アプリケーションは、前記データ通信セッション過程で生じる開始イベントを検知したとき、前記料金計算方法と前記計量方法を使用して、前記データ通信セッションの料金の決定を開始するように構成され、
ここに、前記開始イベントは、前記ネットワークまたは前記無線装置のいずれかにより発生して、前記データ通信セッションが開始したことを示す請求項２３に記載のスマートカード。
【請求項３２】
前記データ料金計算アプリケーションは、前記データ通信セッション過程で生じる終了イベントを検知したとき、前記料金計算方法と前記計量方法を使用して、前記データ通信セッションの料金の決定を終了するように構成され、
ここに、前記終了イベントは、前記ネットワークまたは前記無線装置の何れかにより発生して、前記データ通信セッションが終了したことを示す請求項２３に記載のスマートカード。
【請求項３３】
前記無線装置および／または前記スマートカードは、内部に複数の追加アプリケーションを含み、
前記データ料金計算アプリケーションは、前記データ通信セッションの間に前記無線装置により受信されるデータを使用する前記無線装置および／またはスマートカード内の前記複数の追加アプリケーションの１つに基づいて前記複数の料金計算方法の１つを選択するように構成される請求項２６に記載のスマートカード。
【請求項３４】
前記データ料金計算アプリケーションは、前記データ通信セッション中に受信されるデータの利用に基づいて前記料金計算方法を使用するように構成される請求項２６に記載のスマートカード。
【請求項３５】
前記データ通信セッション中に受信される前記データはダウンロードされるアプリケーションであり、
ここに前記料金は、ダウンロードされる前記アプリケーションの利用の発生または利用時間に基づき決定される請求項３４に記載のスマートカード。
【請求項３６】
前記データ料金計算アプリケーションは、前記データ通信セッションの間に前記無線装置により受信されたデータのソースに基づいて、前記複数の料金計算方法の１つを選択するよう構成される請求項２６に記載のスマートカード。
【請求項３７】
前記データ料金計算アプリケーションは、前記データ通信セッションについて選択されたサービスレベルに基づいて、前記複数の料金計算方法の１つを選択するよう構成される請求項２６に記載のスマートカード。
【請求項３８】
選択される前記サービスレベルは、前記データ通信セッションにおけるデータ通信の速度および／または精度に関係する請求項３７に記載のスマートカード。
【請求項３９】
前記データ料金計算アプリケーションは、前記データ通信セッションの間に達成したサービスレベルに基づいて、前記複数の料金計算方法の１つを選択するように構成される請求項２６に記載のスマートカード。
【請求項４０】
前記複数の計量方法は、接続方法による計量を含み、
前記接続方法による計量は、確立されている前記データ通信セッションに対する接続に基づいて前記データ通信セッションの料金を決定する請求項２５に記載のスマートカード。
【請求項４１】
前記複数の計量方法は、計時方法による計量を含み、
前記計時方法による計量は、前記データ通信セッションの継続時間に基づいて前記データ通信セッションの料金を決定する請求項２５に記載のスマートカード。
【請求項４２】
前記複数の計量方法は、ボリューム計量方法による計量を含み、
前記ボリューム計量方法による計量は、前記データ通信セッションの間に前記無線装置により送信および／または受信されるデータのボリュームに基づいて、前記データ通信セッションの料金を決定する請求項２５に記載のスマートカード。
【請求項４３】
前記ボリューム計量方法による計量は、さらにキロバイト単位毎、パケット単位毎または所定の単位毎に計量することを含む請求項４２に記載のスマートカード。
【請求項４４】
データ通信セッションの料金を決定する方法であって、
ネットワークと通信可能な無線装置にデータ料金計算アプリケーションをインストールし、
前記データ料金計算アプリケーションに、計量方法と料金計算方法とを使用させ、前記データ通信セッションの料金を決定させることを備える方法。
【請求項４５】
前記無線装置は携帯電話である請求項４４に記載の方法。
【請求項４６】
前記計量方法を、複数の計量方法から選択することを備える請求項４４に記載の方法。
【請求項４７】
前記料金計算方法を、複数の料金計算方法から選択することを備える請求項４４に記載の方法。
【請求項４８】
前記データ料金計算アプリケーションに、会計アプリケーションと協働させ、前記無線装置に関する料金を更新させることを備える請求項４４に記載の方法。
【請求項４９】
前記会計アプリケーションは、前記無線装置内に存在する請求項４８に記載の方法。
【請求項５０】
前記会計アプリケーションは、前記無線装置の外部の場所に存在する請求項４８に記載の方法。
【請求項５１】
前記データ料金計算アプリケーションに、前記料金計算方法と前記計量方法を使用させる前に、
前記データ通信セッションのセットアップ過程で生じるセットアップイベントを検知したとき、前記データ料金計算アプリケーションに、前記料金計算方法と前記計量方法とを選択させることを備え、
ここに、前記セットアップイベントは、前記ネットワークまたは前記無線装置のいずれかにより発生して、前記データ通信セッションが開始することを示す請求項４４に記載の方法。
【請求項５２】
前記データ通信セッション過程で生じる開始イベントを検知したとき、前記データ料金計算アプリケーションに、前記料金の決定を開始させることを備え、
ここに、前記開始イベントは、前記ネットワークまたは前記無線装置のいずれかにより発生して、前記データ通信セッションが開始したことを示す請求項４４に記載の方法。
【請求項５３】
前記データ通信セッション過程で生じる終了イベントを検知したとき、前記データ料金計算アプリケーションに、前記料金の決定を終了させることを備え、
ここに、前記終了イベントは、前記ネットワークまたは前記無線装置のいずれかにより発生して、前記データ通信セッションが終了したことを示す請求項４４に記載の方法。
【請求項５４】
前記データ料金計算アプリケーションは、前記無線装置に取り付け可能なスマートカード内に存在する請求項４４に記載の方法。
【請求項５５】
前記無線装置は内部に複数の追加アプリケーションを含み、
前記データ通信セッションの間に前記無線装置により受信されるデータを使用する前記無線装置内の前記複数の追加アプリケーションの１つに基づいて、前記料金計算方法を選択することを備える請求項４７に記載の方法。
【請求項５６】
前記データ通信セッション中に受信されるデータの利用に基づいて、前記料金計算方法を選択することを備える請求項４７に記載の方法。
【請求項５７】
前記データ通信セッション中に受信される前記データはダウンロードされるアプリケーションであり、
ダウンロードされる前記アプリケーションの利用の発生または利用時間に基づき前記料金を決定することを備える請求項５６に記載の方法。
【請求項５８】
前記データ通信セッションの間に前記無線装置により受信されたデータのソースに基づいて、前記料金計算方法を選択することを備える請求項４７に記載の方法。
【請求項５９】
前記データ通信セッションについて選択されたサービスレベルに基づいて、前記料金計算方法を選択することを備える請求項４７に記載の方法。
【請求項６０】
選択される前記サービスレベルは、前記データ通信セッションにおけるデータ通信の速度および／または精度に関係する請求項５９に記載の方法。
【請求項６１】
前記データ通信セッションの間に達成したサービスレベルに基づいて、前記料金計算方法を選択することを備える請求項４７に記載の方法。
【請求項６２】
前記複数の計量方法は、接続方法による計量を含み、
前記接続方法による計量は、確立されている前記データ通信セッションに対する接続に基づいて前記データ通信セッションの料金を決定する請求項４６に記載の方法。
【請求項６３】
前記複数の計量方法は、計時方法による計量を含み、
前記計時方法による計量は、前記データ通信セッションの継続時間に基づいて前記データ通信セッションの料金を決定する請求項４６に記載の方法。
【請求項６４】
前記複数の計量方法は、ボリューム計量方法による計量を含み、
前記ボリューム計量方法による計量は、前記データ通信セッションの間に前記無線装置により送信および／または受信されるデータのボリュームに基づいて、前記データ通信セッションの料金を決定する請求項４６に記載の方法。
【請求項６５】
前記ボリューム計量方法による計量は、さらにキロバイト単位毎、パケット単位毎または所定の単位毎に計量することを含む請求項６４に記載の方法。